(57)【要約】【課題】作業者の手を正常な作業動作へと導くことで生産性及び作業精度の向上を図る。【解決手段】製品組立工場内において、製品に部品を組み付ける作業を行っている作業者の手の作業動作を経時的に測定して、その測定結果である動作情報を３次元座標データとして送信するために手に装着されている位置センサ２１を有するモーションキャプチャ装置２と、作業者の手に装着され当該手に対して振動を伝達させる振動デバイス３１と、モーションキャプチャ装置２から送信されてきた３次元座標データを受信し、製品に部品を組み付ける作業の標準である３次元座標の標準作業動作データと比較して、その比較結果に応じて振動デバイス３１の振動パターンが変化するように当該振動デバイス３１を制御する制御部４１とから構成されているものである。【選択図】図１
2010271926.tif 000002
【特許請求の範囲】
【請求項１】
製品組立工場内において、製品に部品を組み付ける作業を行っている作業者の手の作業動作を経時的に測定して、その測定結果である動作情報を３次元座標データとして送信するために前記手に装着されている位置センサを有するモーションキャプチャ装置と、
前記作業者の前記手に装着され当該手に対して振動を伝達させる振動デバイスと、
前記モーションキャプチャ装置から送信されてきた前記３次元座標データを受信し、前記製品に部品を組み付ける作業の標準である３次元座標の標準作業動作データと比較して、その比較結果に応じて前記振動デバイスの振動パターンが変化するように当該振動デバイスを制御する第１の振動制御機能を有する制御部とから構成されていることを特徴とする作業ガイドシステム。
【請求項２】
前記振動デバイスが前記作業者の前記手の異なる指それぞれに装着されている場合には、前記制御部は前記各振動デバイスを前記比較結果に応じて個別に制御する第２の振動制御機能を有することを特徴とする請求項１記載の作業ガイドシステム。
【請求項３】
前記制御部は、前記３次元座標データに対応する回転角データを算出し、前記３次元座標データ及び前記回転角データと、前記製品に部品を組み付ける作業の標準である３次元座標及び当該３次元座標に対応する回転角の標準作業動作データとを比較して、その比較結果に応じて前記振動デバイスの振動パターンが変化するように当該振動デバイスを制御する第３の振動制御機能を有することを特徴とする請求項１又は請求項２記載の作業訓練システム。
【請求項４】
前記モーションキャプチャ装置は、前記測定結果である動作情報を３次元座標に対応する回転角データとして送信するために前記手に装着する角度センサを有し、
前記制御部は、前記モーションキャプチャ装置から送信されてきた前記３次元座標データ及び前記回転角データを受信し、前記製品に部品を組み付ける作業の標準である３次元座標及び前記回転角の標準作業動作データと比較して、その比較結果に応じて前記振動デバイスの振動パターンが変化するように当該振動デバイスを制御する第４の振動制御機能を有することを特徴とする請求項１又は請求項２記載の作業ガイドシステム。
【請求項５】
前記モーションキャプチャ装置の前記位置センサは、前記作業者の前記手指に装着される複数の磁気式３次元位置姿勢センサであることを特徴とする請求項１乃至請求項４のうち何れか１項に記載の作業ガイドシステム。
【請求項６】
前記振動デバイスは、携帯電話やＰＨＳ用の小型バイブレータであることを特徴とする請求項１乃至請求項５のうち何れか１項に記載の作業ガイドシステム。
【請求項７】
製品組立工場内において、製品に部品を組み付ける作業を行っている作業者の手の作業動作をモーションキャプチャ装置の前記手に装着されている位置センサによって経時的に測定し、その測定結果である３次元座標データを制御部が受信し、前記３次元座標データに基づき前記作業者の前記手に装着されている振動デバイスの振動パターンを制御する作業ガイド方法であって、
前記制御部は、
前記製品に部品を組み付ける作業の標準である３次元座標の標準作業動作データを呼び出す第１のステップと、
前記位置センサで検出される前記３次元座標データを時系列で受信する第２のステップと、
前記第１のステップで呼び出した前記３次元座標の標準作業動作データと前記第２のステップで取得した前記３次元座標データとを比較して、その比較結果に応じて前記振動デバイスの前記振動パターンが変化するように当該振動デバイスを制御する第３のステップとを有することを特徴とする作業ガイド方法。
【請求項８】
前記振動デバイスが前記作業者の前記手の異なる指それぞれに装着されている場合には、
前記第３のステップにおいて、前記比較結果に応じて前記各振動デバイスの前記振動パターンが異なるように当該各振動デバイスを制御することを特徴とする請求項７記載の作業ガイド方法。
【請求項９】
前記制御部は、
前記第１のステップにおいて、さらに、前記製品に部品を組み付ける作業の標準である回転角の標準作業動作データを呼び出し、
前記第２のステップと前記第３のステップとの間に前記３次元座標データに対応する回転角データを算出するステップを有し、
前記第３のステップにおいて、前記回転角データを算出するステップを実行した場合には、さらに、その回転角データと、前記第１のステップで呼び出した前記回転角の標準作業動作データとを比較することを特徴とする請求項７又は請求項８記載の作業ガイド方法。
【請求項１０】
前記モーションキャプチャ装置が、前記位置センサと共に前記作業者の前記手に装着する角度センサを有する場合には、
前記制御部は、
前記第１のステップにおいて、さらに、前記製品に部品を組み付ける作業の標準である回転角の標準作業動作データを呼び出し、
前記第２のステップにおいて、さらに、前記角度センサで検出される回転角データを時系列で受信し、
前記第３のステップにおいて、さらに、前記第１のステップで呼び出した前記回転角の標準作業動作データと前記第２のステップで取得した前記回転角データとを比較することを特徴とする請求項７又は請求項８記載の作業ガイド方法。
【請求項１１】
請求項７乃至請求項１０のうち何れか１項に記載の作業ガイド方法によって実現するためのプログラムを記録したコンピュータ読み取り可能な記録媒体。
【発明の詳細な説明】
【技術分野】
【０００１】
本発明は、製品組立工場内において、作業者に対して工程順序に沿って作業内容をガイドすることができる作業ガイドシステム及び作業ガイド方法並びに該作業ガイド方法を記録した記録媒体に関する。
【背景技術】
【０００２】
従来から、作業の手順、作業要領などをマニュアル化し、この作業マニュアルを表示装置などに出力することにより作業者を支援する生産作業者支援システムが提案されている（例えば、特許文献１参照。）。この生産作業者支援システムは、生産性及び作業精度の向上を図るために、作業者毎の個人能力に応じた最適の展開速度で作業マニュアルを表示装置などに出力することができるように構成されている。
【０００３】
また、大型スクリーンに仮想の作業領域を表示したりスピーカで音声出力したりして作業者に作業内容を指導した後に、作業者に対して仮想の作業領域で作業を擬似的に体験させて仮想の作業訓練を施すことができる作業訓練支援システムが開示されている（例えば、特許文献２参照。）。この作業訓練支援システムは、モーションキャプチャからの３次元の空間座標位置と、標準作業時間、手の動きのぶれ（蛇行）あるいは手の動きの基準値とを比較して、その基準値から外れる場合には習熟総合判定をＮＧにするものである。モーションキャプチャは、作業者の動作状態をリアルに反映することができるので、作業者の作業判定の精度を高めることが可能になる。
【先行技術文献】
【特許文献】
【０００４】
【特許文献１】特開２００３−２７１２２５号公報
【特許文献２】特開２００５−１３４５３６号公報
【発明の概要】
【発明が解決しようとする課題】
【０００５】
しかしながら、背景技術に記載した生産作業者支援システムでは、作業マニュアルを作業者毎の個人能力に応じた最適の展開速度で表示装置などに出力するだけなので、その作業マニュアル通りに正確に作業動作を再現できない作業者の場合には、やはり生産性及び作業精度の向上を図れない虞があった。
【０００６】
また、背景技術に記載した作業訓練支援システムにおいても、大型スクリーンに仮想の作業領域を表示したりスピーカで音声出力したりして、作業者に作業内容を指導すると共に、作業者による実際の作業内容が基準値から外れていることを知らせて正誤判定を行うだけなので、その作業内容通りに正確に作業動作を再現できない作業者の場合には、やはり生産性及び作業精度の向上を図れない虞があった。
【０００７】
本発明は、このような従来の難点を解消するためになされたもので、作業者の手を正常な作業動作へと導くことで、生産性及び作業精度の向上を図ることができる作業ガイドシステム及び作業ガイド方法並びに該作業ガイド方法を記録した記録媒体を提供することを目的とする。
【課題を解決するための手段】
【０００８】
上述の目的を達成する本発明の第１の態様である作業ガイドシステムは、製品組立工場内において、製品に部品を組み付ける作業を行っている作業者の手の作業動作を経時的に測定して、その測定結果である動作情報を３次元座標データとして送信するために手に装着されている位置センサを有するモーションキャプチャ装置と、作業者の手に装着され当該手に対して振動を伝達させる振動デバイスと、モーションキャプチャ装置から送信されてきた３次元座標データを受信し、製品に部品を組み付ける作業の標準である３次元座標の標準作業動作データと比較して、その比較結果に応じて振動デバイスの振動パターンが変化するように当該振動デバイスを制御する第１の振動制御機能を有する制御部とから構成されているものである。
【０００９】
本発明の第２の態様は第１の態様である作業解析システムにおいて、振動デバイスが作業者の手の異なる指それぞれに装着されている場合には、制御部は各振動デバイスを比較結果に応じて個別に制御する第２の振動制御機能を有するものである。
【００１０】
本発明の第３の態様は第１の態様又は第２の態様である作業解析システムにおいて、制御部は、３次元座標データに対応する回転角データを算出し、３次元座標データ及び回転角データと、製品に部品を組み付ける作業の標準である３次元座標及び当該３次元座標に対応する回転角の標準作業動作データとを比較して、その比較結果に応じて振動デバイスの振動パターンが変化するように当該振動デバイスを制御する第３の振動制御機能を有するものである。
【００１１】
本発明の第４の態様は第１の態様又は第２の態様である作業解析システムにおいて、モーションキャプチャ装置は、測定結果である動作情報を３次元座標に対応する回転角データとして送信するために手に装着されている角度センサを有し、制御部は、モーションキャプチャ装置から送信されてきた３次元座標データ及び回転角データを受信し、製品に部品を組み付ける作業の標準である３次元座標及び回転角の標準作業動作データと比較して、その比較結果に応じて振動デバイスの振動パターンが変化するように当該振動デバイスを制御する第３の振動制御機能を有するものである。
【００１２】
本発明の第５の態様は第１の態様乃至第４の態様のうち何れか１つの態様である作業ガイドシステムにおいて、モーションキャプチャ装置の位置センサは、作業者の手指に装着される複数の磁気式３次元位置姿勢センサである。
【００１３】
本発明の第６の態様は第１の態様乃至第５の態様のうち何れか１つの態様である作業ガイドシステムにおいて、振動デバイスは携帯電話やＰＨＳ用の小型バイブレータである。
【００１４】
また、本発明の第７の態様である作業ガイド方法は、製品組立工場内において、製品に部品を組み付ける作業を行っている作業者の手の作業動作をモーションキャプチャ装置の手に装着されている位置センサによって経時的に測定し、その測定結果である３次元座標データを制御部が受信し、３次元座標データに基づき作業者の手に装着されている振動デバイスの振動パターンを制御する作業ガイド方法であって、制御部は、製品に部品を組み付ける作業の標準である３次元座標の標準作業動作データを呼び出す第１のステップと、位置センサで検出される３次元座標データを時系列で受信する第２のステップと、第１のステップで呼び出した３次元座標の標準作業動作データと第２のステップで取得した３次元座標データとを比較して、その比較結果に応じて振動デバイスの振動パターンが変化するように当該振動デバイスを制御する第３のステップとを有するものである。
【００１５】
本発明の第８の態様は第７の態様である作業ガイド方法において、振動デバイスが異なる作業者の手指それぞれに装着されている場合には、第３のステップにおいて、比較結果に応じて各振動デバイスの振動パターンが異なるように当該各振動デバイスを制御するものである。
【００１６】
本発明の第９の態様は第７の態様又は第８の態様である作業ガイド方法において、制御部は、第１のステップにおいて、さらに、製品に部品を組み付ける作業の標準である回転角の標準作業動作データを呼び出し、第２のステップと第３のステップとの間に３次元座標データに対応する回転角データを算出するステップを有し、第３のステップにおいて、回転角データを算出するステップを実行した場合には、さらに、その回転角データと、第１のステップで呼び出した回転角の標準作業動作データとを比較するものである。
【００１７】
本発明の第１０の態様は第７の態様又は第８の態様である作業ガイド方法において、モーションキャプチャ装置が、位置センサと共に作業者の手に装着する角度センサを有する場合には、制御部は、第１のステップにおいて、さらに、製品に部品を組み付ける作業の標準である回転角の標準作業動作データを呼び出し、第２のステップにおいて、さらに、角度センサで検出される回転角データを時系列で受信し、第３のステップにおいて、さらに、第１のステップで呼び出した回転角の標準作業動作データと第２のステップで取得した回転角データとを比較するものである。
【００１８】
さらに、本発明の第１１の態様である記録媒体は、第７の態様乃至第１０の態様のうち何れか１つの態様である作業ガイド方法によって実現するためのプログラムを記録したコンピュータ読み取り可能なものである。
【００１９】
このような本発明の作業ガイドシステム及び作業ガイド方法並びに該作業ガイド方法を記録した記録媒体によれば、モーションキャプチャ装置によって、製品に部品を組み付ける作業を行っている作業者の作業動作を経時的に測定し、その測定結果である動作情報を３次元座標データとして送信すると、制御部の第１の振動制御機能は、この３次元座標データと、製品に部品を組み付ける作業の標準である３次元座標の標準作業動作データとを比較して、その比較結果に応じて振動デバイスの振動パターンが変化するように振動デバイスを制御する。このように振動パターンを制御することで、作業者の手の作業動作が標準作業動作に対してずれている場合には、外れ方向、外れ量を振動速度や振動間隔を変化させて作業者に認識させることで、作業者の手をどちらの方向にどの位だけ移動させればよいかを容易に把握することが容易になる。
【００２０】
また、作業ガイドシステムは、制御部に第３の振動制御機能を備えた場合には、製品に部品を組み付ける作業を行っている作業者の作業動作を経時的に測定し、その測定結果である動作情報を３次元座標データとして送信すると、制御部の第３の振動制御機能は、３次元座標データに対応する回転角データを算出し、測定結果である３次元座標データ及び回転角データと、製品に部品を組み付ける作業の標準である３次元座標及び当該３次元座標に対応する回転角の標準作業動作データとを比較して、その比較結果に応じて振動デバイスの振動パターンが変化するように振動デバイスを制御する。このように制御部で、３次元座標データと共にこの３次元座標データに対応する回転角データを算出することにより、手のあらゆる動きを検出できるようになるので、製品に部品を組み付ける作業を行っている作業者の作業動作を細かく分析できるようになる。したがって、３次元座標及び回転角に基づき振動デバイスを制御することができるので、作業ガイドをより詳細にできるようになる。
【００２１】
さらに、作業ガイドシステムは、モーションキャプチャ装置に角度センサを備え、制御部に第４の振動制御機能を備えた場合には、製品に部品を組み付ける作業を行っている作業者の作業動作を位置センサと共に角度センサによって経時的に測定し、その測定結果である動作情報を３次元座標データ及び回転角データとして送信すると、制御部は、この３次元座標データ及び回転角データと、製品に部品を組み付ける作業の標準である３次元座標及び回転角の標準作業動作データとを比較して、その比較結果に応じて振動デバイスの振動パターンが変化するように振動デバイスを制御する。このようにモーションキャプチャ装置に位置センサと共に角度センサを備えることにより、手のあらゆる動きを検出できるようになるので、製品に部品を組み付ける作業を行っている作業者の作業動作を細かく分析できるようになる。したがって、３次元座標及び回転角に基づき振動デバイスを制御することができるので、作業ガイドをより詳細にできるようになる。
【００２２】
なお、モーションキャプチャ装置の位置センサとして、磁気式３次元位置姿勢センサを用いることで、手指の繊細な動きを記録、再現することが可能になる。
【００２３】
また、振動デバイスを携帯電話やＰＨＳ用の小型バイブレータにすると小型化を図れるので、手指に装着しても作業の障害になることはない。
【発明の効果】
【００２４】
本発明の作業ガイドシステム及び作業ガイド方法並びに該作業ガイド方法を記録した記録媒体によれば、作業者の手に装着した振動デバイスの振動パターンを変化させて作業者の手を正常な作業動作へと導くことができるので、生産性及び作業精度の向上を図ることができるようになる。
【図面の簡単な説明】
【００２５】
【図１】本発明の作業ガイドシステムにおける好ましい実施の形態例を示すシステム構成のブロック図である。
【図２】図１のモーションキャプチャ装置に使用されるセンサのキャリブレーションの例を示す説明図である。
【図３】モーションキャプチャ装置で検出した位置情報の例を示す説明図である。
【図４】振動デバイスの装着例を示す説明図である。
【図５】本発明の作業ガイド方法の好ましい実施の形態例を示すフローチャート図である。
【発明を実施するための形態】
【００２６】
以下、作業ガイドシステム及び作業ガイド方法並びに該作業ガイド方法を記録した記録媒体を実施するための最良の形態例について、図面を参照して説明する。
【００２７】
本発明の作業ガイドシステムは図１に示すように、製品組立工場内において、製品に部品を組み付ける作業を行っている作業者の手の作業動作を経時的に測定して、その測定結果である動作情報を３次元座標データとして送信するために手に装着されている位置センサ２１を有するモーションキャプチャ装置２と、作業者の手に装着され当該手に対して振動を伝達させる振動デバイス３１を有する振動装置３と、モーションキャプチャ装置２から送信されてきた３次元座標データを受信し、製品に部品を組み付ける作業の標準である３次元座標の標準作業動作データと比較して、その比較結果に応じて振動デバイス３１の振動パターンが変化するように当該振動デバイス３１を制御する第１の振動制御機能４１ａを有する制御部４１を備えたデータ処理装置４とから構成されている。
【００２８】
モーションキャプチャ装置２は、汎用のものを用いることができ、デバイスである位置センサ２１としては動体に装着された光学マーカの位置情報により動体の動きを検出する光学式や、動体に装着された磁気センサの動きを検出する磁気式が一般的である。特に、経時的に測定する対象が、部品を組み付ける作業を行っている作業者の作業動作の場合には、モーションキャプチャ装置２としては、作業者の手指に装着されるデバイスである複数の磁気式３次元位置姿勢センサ２１と、磁気式３次元位置姿勢センサ群２１で検出された作業者の作業動作情報として受信してデータ処理装置３に送信する信号処理部２２とを備えているものが好適である。このモーションキャプチャ装置２の場合、複数の磁気式３次元位置姿勢センサ２１を手指の繊細な動きを検出できるように柔軟性のあるグローブに配置するので、作業者の作業動作を精度よく再現することが可能になる。この磁気式３次元位置姿勢センサ２１とデータ処理装置３とは、有線、無線の何れの接続手段でもよく、設置状況に応じて選択する。このようなモーションキャプチャとして、例えば、特開２００７−２３６６０２号公報に開示された磁気式位置姿勢センサを用いた手指用モーションキャプチャ装置が好適である。
【００２９】
この手指用モーションキャプチャ装置は図２、図３に示すように、例えば親指の先端に位置するセンサ２１ａの中心に原点を仮定すると、信号処理部２２の固定基準点から見たそれらの位置座標（Ｘ軸、Ｙ軸、Ｚ軸）及びＸ軸、Ｙ軸、Ｚ軸の周りの回転角から求められる姿勢を示すオイラー角の情報が得られ、データ処理装置３に記録される。この場合におけるセンサ装着時の位置及び角度のズレのキャリブレーションは、特開２００７−２３６６０２号公報に詳述されているので、説明は省略する。
【００３０】
振動装置３は、振動デバイス３１を振動させるための複数種類の振動パターンデータが登録された振動パターンデータ記憶部３２と、後述するデータ処理装置４の制御部４１から送信されてきた振動デバイス３１の振動制御データを受信し、該当する振動パターンデータを振動パターンデータ記憶部３２から選択して、振動デバイス３１をその振動パターンデータで振動させる振動パターン制御部３３とから構成されている。
【００３１】
振動デバイス３１を振動させる振動パターンは、振動速度や振動間隔を変化させることで、作業者に対して標準の作業動作へと導くことができる。このような振動デバイス３１としては、手に装着でき人間に振動を伝える小型振動デバイスであればよく、例えば手指に装着しても作業の障害になることはない携帯電話やＰＨＳ用の振動モータを用いた小型バイブレータが考えられる。なお、小型バイブレータは、振動モータを用いたものに限らず、作業の障害にならずに手に装着でき人間に振動を伝えることができれば、パルス振動発生器や超音波振動発生器等でもよい。
【００３２】
データ処理装置４は、コンピュータが好ましく、内部にＣＰＵ等の演算処理装置を備えると共に、ブラウン管モニタや液晶ディスプレイ等の表示画面を有する表示装置や、キーボード、マウス等の入力デバイス、さらに、ハードディスクドライブ等の記憶装置等で構成されている。このようなデータ処理装置４は、モーションキャプチャ装置２から受信する３次元座標データをデータ処理装置４の座標データのデータ形式に変換するデータ形式変換部４２を備えている。このデータ形式変換部４２は、モーションキャプチャ装置２から受信する３次元座標データがデータ処理装置４の座標データのデータ形式と同じ場合には、データ形式を変換することなく３次元座標データを制御部４１に送信する。
【００３３】
また、データ処理装置４は、作業者の作業動作の標準である３次元座標の標準作業動作データが予め登録されたデータ記憶部４３を備えている。制御部４１の第１の振動制御機能４１ａは、モーションキャプチャ装置２から３次元座標データを時系列で受信すると、その３次元座標データとデータ記憶部４３に登録された標準作業動作データとを比較して差異がある場合には、その差異に応じた振動制御データを振動装置３に送信する作業解析機能を有している。
【００３４】
この第１の振動制御機能４１ａの解析手法としては、例えば、横軸が時間軸で縦軸が座標値である曲線グラフの作業波形を利用して、３次元座標データの座標波形と標準作業動作データの座標波形とを比較するとよい。作業波形は作業者の作業動作の開始から終了までを追跡できるので、データ値を比較し易くなる。
【００３５】
また、制御部４１は、振動デバイス３１が作業者の手の異なる指にそれぞれ装着されている場合には、各振動デバイス３１を３次元座標データ及び標準作業動作データの比較結果に応じて個別に制御する第２の振動制御機能４１ｂを有している。このように各振動デバイス３１を制御することで、作業者の手に標準作業動作に対する外れ方向や外れ量を認識させ易くなる。
【００３６】
なお、データ記憶部４３に、作業者の作業動作の標準である３次元座標の標準作業データが予め作業工程毎に登録させれば、この作業ガイドシステム１に汎用性をもたせることが可能になる。
【００３７】
このような作業ガイドシステム１は、制御部４１による作業動作の分析精度を高めるために、当該制御部４１は、３次元座標データに対応する回転角データを算出し、３次元座標データ及び回転角データと、製品に部品を組み付ける作業の標準である３次元座標及び当該３次元座標に対応する回転角の標準作業動作データとを比較して、その比較結果に応じて振動デバイスの振動パターンが変化するように当該振動デバイスを制御する第３の振動制御機能４１ｃを有するとよい。
【００３８】
また、作業ガイドシステム１は、制御部４１による作業動作の分析精度を高めるために、モーションキャプチャ装置２に、測定結果である動作情報を３次元座標に対応する回転角データとして送信するために手に装着する角度センサ２３を備え、制御部４１に、モーションキャプチャ装置２から送信されてきた３次元座標データ及び回転角データを受信し、製品に部品を組み付ける作業の標準である３次元座標及び回転角の標準作業動作データと比較して、その比較結果に応じて振動デバイス３１の振動パターンが変化するように当該振動デバイス３１を制御する第３の振動制御機能４１ｄを有するとよい。
【００３９】
上述した作業ガイドシステム１の各構成は、それぞれ電気的に接続されている。モーションキャプチャ装置２は位置センサ２１が信号処理部２２に接続されている。振動装置３は、振動パターン制御部３３に振動デバイス３１及び振動パターンデータ記憶部３２が接続されている。データ処理装置４は、制御部４１にデータ形式変換部４２及びデータ記憶部４３が接続されている。そして、モーションキャプチャ装置２の信号処理部２２はデータ処理装置４のデータ形式変換部４２に接続され、データ処理装置４の制御部４１は振動装置３の振動パターン制御部３３に接続されている。なお、振動装置３の振動パターン制御部３３及び振動パターン制御部３３は、必ずしも振動装置３に組み込まれていなくともよく、例えばデータ処理装置４に組み込まれていてもよい。また、モーションキャプチャ装置２に角度センサ２３を備えている場合には、当該角度センサ２３を信号処理部２２に接続させる。
【００４０】
このように構成されたデータ処理装置４の各構成は、演算処理装置によって実行されるプログラムによって実現されるものである。このプログラムによるデータ処理手順について図５のフローチャートに基づき説明する。なお、振動装置３の振動デバイス３１は図４に示すように、作業者の手の人差し指に装着される第１の振動デバイス３１Ａ、中指に装着される第２の振動デバイス３１Ｂ、薬指に装着される振動デバイス３１Ｃとし、第１の振動デバイス３１ＡはＸ方向（製品である自動車に対して水平方向における長さ方向）、第２の振動デバイス３１ＢはＹ方向（製品である自動車に対して水平方向における幅方向）、第３の振動デバイス３１ＣはＺ方向（製品である自動車に対して鉛直方向）とする。また、モーションキャプチャ装置２には角度センサ２３、データ処理装置４の制御部４１には第３の振動制御機能４１ｃ及び第４の振動制御機能４１ｄが、それぞれ具備されていないものとする。
【００４１】
作業者が所定の部品を組み付ける作業を開始すると（ステップ１０１）、制御部４１の第１の振動制御機能４１ａはデータ記憶部４３から該当する３次元座標の標準作業動作データを呼び出し（ステップ１０２）、モーションキャプチャ装置２２の位置センサ２１で検出された３次元座標データを時系列で受信して（ステップ１０３）、この２つのデータを比較する（ステップ１０４）。比較した結果、作業者の手の作業動作が標準作業動作に対してずれている場合には、外れ方向、外れ量を、作業者の手指に装着された振動デバイス３１Ａ、３１Ｂ、３１Ｃの振動速度や振動間隔を変化させて作業者に認識させる。具体的には、例えばＸ方向にずれている場合には、第１の振動デバイス３１Ａを振動させるが、左右方向かは振動速度や振動間隔を変化させることで作業者に認識させることができる。また、Ｙ方向にずれている場合には、第２の振動デバイス３１Ｂを振動させるが、前後方向かは振動速度や振動間隔を変化させることで作業者に認識させることができる。また、Ｚ方向にずれている場合には、第３の振動デバイス３１Ｃを振動させるが、上下方向かは振動速度や振動間隔を変化させることで作業者に認識させることができる。さらに、これらが複合的にずれている場合は、それぞれを組み合わせて振動させることで作業者に認識させることができる。したがって、作業者の手をどちらの方向にどの位だけ移動させればよいかを容易に把握することが容易になる。
【００４２】
ステップ１０４で作業者の手の作業動作が標準作業動作に対して標準作業動作内で行われた場合には、作業は終了する（ステップ１０７、１０８）。なお、引き続き他の作業工程を行う場合には、次の作業へと移行するためにステップ１０２へと戻る（ステップ１０９）。
【００４３】
なお、データ処理装置４の制御部４１に第３の振動制御機能４１ｃを具備している場合には、制御部４１は、ステップ１０２において、さらに、製品に部品を組み付ける作業の標準である回転角の標準作業動作データを呼び出し、ステップ１０３とステップ１０４との間に３次元座標データに対応する回転角データを算出するステップ（図示せず。）を有し、ステップ１０４において、回転角データを算出するステップを実行した場合には、さらに、その回転角データと、ステップ１０２で呼び出した回転角の標準作業動作データとを比較する。比較した結果、作業者の手の作業動作が標準作業動作に対して比較対象となる回転角がずれている場合には、外れ方向、外れ量を、作業者の手指に装着された振動デバイス３１Ａ、３１Ｂ、３１Ｃの振動速度や振動間隔を変化させて作業者に認識させる。
【００４４】
また、モーションキャプチャ装置２に角度センサ２３、データ処理装置４の制御部４１に第４の振動制御機能４１ｄをそれぞれ具備している場合には、第３の振動制御機能４１ｄがステップ１０２において、さらに、自動車に部品を組み付ける作業の標準である回転角の標準作業動作データを呼び出し、ステップ１０３において、さらに、角度センサ２３で検出される回転角データを時系列で受信し、ステップ１０４において、さらに、ステップ１０２で呼び出した回転角の標準作業動作データと、ステップ１０３で取得した回転角データとを比較する。比較した結果、作業者の手の作業動作が標準作業動作に対して比較対象となる回転角がずれている場合には、外れ方向、外れ量を、作業者の手指に装着された振動デバイス３１Ａ、３１Ｂ、３１Ｃの振動速度や振動間隔を変化させて作業者に認識させる。
【００４５】
このように３次元座標と共に当該３次元座標に対応する回転角を作業者の手の作業動作情報として利用することにより、手のあらゆる動きを検出できるようになるので、自動車に部品を組み付ける作業を行っている作業者の作業動作を細かく分析できるようになる。したがって、３次元座標及び回転角に基づき振動デバイス３１Ａ、３１Ｂ、３１Ｃを制御することができるので、作業ガイドをより詳細にできるようになる。
【００４６】
また、モーションキャプチャ装置２の位置センサ２１として、磁気式３次元位置姿勢センサを作業者の手指に複数装着すると、手のあらゆる動きを検出できるので、製品に部品を組み付ける作業を行っている作業者の作業動作を細かく分析できるようになる。したがって、作業ガイドをより詳細にできるようになる。
【００４７】
このようなデータ処理手順がデータ処理装置４の演算処理装置によって実行されるプログラムは、コンピュータ読み取り可能なＣＤ、ＤＶＤ等の記録媒体に記録させておくことで、複数のデータ処理装置４で利用可能になる。また、この作業ガイドシステム１は、ライン生産方式やセル生産方式の何れにおいても使用することができる。
【００４８】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４９】
１……作業ガイドシステム
２……モーションキャプチャ装置
２１……位置センサ
２３……角度センサ
３１……振動デバイス
４１……制御部
４１ａ……第１の振動制御機能
４１ｂ……第２の振動制御機能
４１ｃ……第３の振動制御機能
４１ｄ……第４の振動制御機能
【図１】
2010271926.tif 000003
【図２】
2010271926.tif 000004
【図３】
2010271926.tif 000005
【図４】
2010271926.tif 000006
【図５】
2010271926.tif 000007